(57)【要約】【課題】  本発明の課題は、製造が容易であり且つ製造時間の短縮化を図ることができるレンズ駆動装置を得ることにある。【解決手段】  本発明のレンズ駆動装置１は、略円筒状のヨーク３と、ヨーク３の外周に配置されるベース５及びフレーム６と、レンズ支持体７と、ベース５に取り付けたマグネット１３と、レンズ支持体７に取り付けたコイル１０とを備え、コイル１０に通電して生じる電磁力によりレンズ支持体７をレンズの光軸方向に移動させており、ベース５とフレーム６とは互いに複数の連結部２１、２５で連結しており、ベース側の連結部２１の内周面２１ａ及びフレーム側の連結部２５の内周面２５ａにはヨーク３の外周面３ａに圧接する突起部２３、２７を設けている。【選択図】      図１
2006234866.tif 000002
【特許請求の範囲】
【請求項１】
略円筒状のヨークと、ヨークの外周に配置されるベース及びフレームと、レンズ支持体と、ベースに取り付けたマグネットと、レンズ支持体に取り付けたコイルとを備え、コイルに通電して生じる電磁力によりレンズ支持体をレンズの光軸方向に移動するレンズ駆動装置であって、ベースとフレームとは互いに複数の連結部で連結しており、ベース側の連結部の内周面及びフレーム側の連結部の内周面にはヨークの外周面に圧接する突起部が設けられていることを特徴とするレンズ駆動装置。
【請求項２】
突起部は横断面が内周側に突設した円弧状であることを特徴とする請求項１に記載のレンズ駆動装置。
【請求項３】
ベース側の突起部は側端部がヨーク側を下側にして傾斜しており、フレーム側の突起部は側端部がヨーク側を上側にして傾斜していることを特徴とする請求項１又は２に記載のレンズ駆動装置。
【発明の詳細な説明】
【技術分野】
【０００１】
本発明は、レンズ駆動装置に関する。
【背景技術】
【０００２】
特許文献１には、略円筒状のヨークと、ヨークの外周に配置されるベース及びフレームとを備えたレンズ駆動装置において、上下方向からベースとフレームとでヨークを挟み込み、ヨークをベース及びフレームに装着する開示されている。
【０００３】
【特許文献１】特開２００４−２８００３１号公報
【発明の開示】
【発明が解決しようとする課題】
【０００４】
上述の特許文献１に記載の従来技術には特に開示されていないが、外からの衝撃によるがたつきやずれを防止するため、一般的にヨークとベース及びヨークとフレームとの間に接着剤を充填してヨークを固定していた。しかし、製造時に接着剤の充填作業が必要となると共に、接着剤が硬化する時間だけ余分に製造時間が必要になるという問題がある。
【０００５】
本発明は、製造が容易であり且つ製造時間の短縮化を図ることができるレンズ駆動装置を得ることを目的とする。
【課題を解決するための手段】
【０００６】
前記課題を解決するために、請求項１に記載された発明は、略円筒状のヨークと、ヨークの外周に配置されるベース及びフレームと、レンズ支持体と、ベースに取り付けたマグネットと、レンズ支持体に取り付けたコイルとを備え、コイルに通電して生じる電磁力によりレンズ支持体をレンズの光軸方向に移動するレンズ駆動装置であって、ベースとフレームとは互いに複数の連結部で連結しており、ベース側の連結部の内周面及びフレーム側の連結部の内周面にはヨークの外周面に圧接する突起部が設けられていることを特徴とする。
【０００７】
請求項２に記載された発明は、請求項１に記載の発明において、突起部は横断面が内周側に突設した円弧状であることを特徴とする。
【０００８】
請求項３に記載された発明は、請求項１又は２に記載の発明において、ベース側の突起部は側端部がヨーク側を下側にして傾斜しており、フレーム側の突起部は側端部がヨーク側を上側にして傾斜していることを特徴とする。
【発明の効果】
【０００９】
請求項１に記載の発明によれば、レンズ駆動装置の製造時におけるヨークの組付けの際には、上下方向からベースとフレームとでヨークを挟み込み、ヨークをベース及びフレームに圧入して固定する。
【００１０】
本発明では、ベース側の連結部の内周面及びフレーム側の連結部の内周面に設けた突起部の圧接によって、ベース及びフレームにヨークを固定することができる。よって、従来のように接着剤を用いることなくヨークをベース及びフレームに固定でき、製造時に接着剤の充填作業が不要で製造が容易であると共に、接着剤の硬化時間が不要となり、製造時間の短縮化を図れる。
【００１１】
接着剤が不要なので接着剤の分だけ部品点数を削減でき製造コストの低減が図れる。
【００１２】
ヨークは圧接によりベース及びフレームに固定されているので、外部から衝撃を受けた場合にも、ヨークに揺れやがたつきが生じ難い。
【００１３】
請求項２に記載された発明によれば、請求項１に記載の発明と同様の効果を奏すると共に、突起部は内周側に突設した円弧状であるので、ヨークの外周面に対して突起部が点接触で接するので、面接触で接する場合に比べて突起部とヨークの外周面との間の摩擦が小さく、ヨークをスムーズに押し込むことができる。
【００１４】
請求項３に記載された発明によれば、請求項１又は２に記載の発明と同様の効果を奏すると共に、ベース側の突起部は側端部がヨーク側を下側にして傾斜しているので、ヨークをベースに圧入する際に、傾斜に沿って突起部がスライドし、ヨークをスムーズに圧入できる。同様に、フレーム側の突起部は側端部がヨーク側を上側にして傾斜しているので、ヨークをフレームに圧入する際にも、傾斜に沿って突起部がスライドし、ヨークをスムーズに圧入できる。
【発明を実施するための最良の形態】
【００１５】
以下に、添付図面を参照して、本発明の実施の形態を詳細に説明する。図１は図４に示すベースを抜きだして示す図であり、（ａ）はベース全体を示す斜視図、（ｂ）は（ａ）に示すＡ−Ａ断面図、（ｃ）は（ａ）に示すＢ−Ｂ断面図であり、図２は図４に示すフレームを内周側から見た斜視図、図３は本実施の形態に係るレンズ駆動装置を縦方向に切断した状態を示す斜視図、図４は本実施の形態に係るレンズ駆動装置の分解斜視図である。
【００１６】
本実施形態に係るレンズ駆動装置１は、携帯電話のオートフォーカスレンズに組み込むものであり、略円筒状のヨーク３と、ヨーク３の外周に配置されるベース５と、ベース５を支えるフレーム６と、ヨーク３の内周側に配置されるレンズ支持体７と、レンズ支持体７の外周側に配置されるコイル１０と、レンズ支持体７の前後方向に配置される前方スプリング９及び後方スプリング１１とを備えている。レンズ支持体７は略円筒形状であり、その内部にレンズ１２が固定されている。
【００１７】
ヨーク３は、断面が略コ字状であり、コ字内にリング状のマグネット１３が配置されている。マグネット１３はリング状であり、周方向に沿って４つの円弧状のブロックに分かれている。
【００１８】
ベース５は樹脂製であり、ヨーク３の外周に沿った形状にフレーム６との連結部２１が設けられており、連結部２１はベース５の四隅に立設している。それぞれの連結部２１の内周面２１ａにはヨーク３の外周面３ａに圧接する条状の突起部２３が形成されている。また、連結部２１の外周にはフレーム６の被係合部２９が係合する係合部２４が形成されている。
【００１９】
ベース側の突起部２３は横断面が内周側に突設した円弧状であり、その突設部分２３ａがヨーク３の外周面３ａに接している。また、ベース側の突起部２３の側端部２３ａはヨーク側を下側にして斜めに形成されている。
【００２０】
フレーム６は樹脂製であり、ヨーク３の外周に沿った形状にベース５との連結部２５が設けられており、連結部２５はフレーム６の四隅に立設している。それぞれの連結部２５の内周面２５ａには条状の突起部２７が形成されている。
【００２１】
フレーム側の突起部２７は横断面が内周側に突設した円弧状であり、その突設部分がヨーク３の外周面３ａに接している。また、フレーム側の突起部２７の側端部２７ａはヨーク側を上側にして斜めに形成されている。
【００２２】
連結部２５の外周にはベース５の係合部２４に係合する被係合部２９が形成されている。
【００２３】
次に、本実施の形態に係るレンズ駆動装置の組み立て及び作用効果を説明する。レンズ駆動装置１の組み立ては、レンズ支持体７に後側スプリング１１を取り付け、マグネット１３と、レンズ支持体７に固定したコイル１０とをヨーク３の内部に配置して、ベース５の基底部５ａに後方スペーサ１６を介して組み付ける。そして、前方スペーサ１８とヨーク３との間に前方スプリング９の内周側端部を載置してキャップ１５で固定すると共にフレーム６をベース５に取り付けて、前方スプリング９の外周側端部をフレーム６で固定する。
【００２４】
ヨーク３の組付けの際には、ヨーク３の上下方向からベース５とフレーム６とでヨーク３を挟み込み、圧入によりヨーク３をベース５及びフレーム６に固定する。その後、フレーム６の被係合部２９をベース５の係合部２４に係合してベース５とフレーム６とを固定する。
【００２５】
本実施の形態では、ベース側の連結部２１の内周面２１ａ及びフレーム側の連結部２５の内周面２５ａに設けた突起部２３、２７の圧接によって、ヨーク３をベース５及びフレーム６に固定することができる。よって、従来のように接着剤を用いることなくヨーク３をベース５及びフレーム６に固定でき、製造時に接着剤の充填作業が不要で製造が容易であると共に、接着剤の硬化時間が不要となり、製造時間の短縮化を図れる。
【００２６】
接着剤が不要なので接着剤の分だけ部品点数を削減でき製造コストの低減が図れる。
【００２７】
ヨーク３は圧接により固定されているので、外部から衝撃を受けた場合にも、ヨーク３に揺れやがたつきが生じ難い。
【００２８】
突起部２３、２７は内周側に突設した略半円状であるので、ヨーク３の外周面３ａに対して点接触で接するので、面接触で接する場合に比べて突起部２３、２７とヨーク３の外周面３ａとの間の摩擦が小さく、ヨーク３をスムーズに押し込むことができる。
【００２９】
ベース側の突起部２３は側端部２３ｂがヨーク側を下側にして傾斜しているので、ヨーク３をベース５に圧入する際に、傾斜面に沿って突起部２３がスライドし、ヨーク３をスムーズに圧入できる。同様に、フレーム側の突起部２７は側端部２７ａがヨーク側を上側にして傾斜しているので、ヨーク３をフレーム６に圧入する際にも、傾斜に沿って突起部２７がスライドし、ヨーク３をスムーズに圧入できる。
【００３０】
なお、本発明は、前述した実施形態に限定されることなく、その要旨を逸脱しない範囲で種々変形して実施できることは言うまでもない。
【００３１】
上述の実施形態において、突起部２３は１つの連結部２１に２つ以上設けても良い。
【００３２】
レンズ駆動装置１は携帯電話に係るカメラに限らず、デジタルカメラに用いるものであっても良い。
【図面の簡単な説明】
【００３３】
【図１】図４に示すベースを抜きだして示す図であり、（ａ）はベース全体を示す斜視図、（ｂ）は（ａ）に示すＡ−Ａ断面図、（ｃ）は（ａ）に示すＢ−Ｂ断面図である。
【図２】図４に示すフレームを内周側から見た斜視図である。
【図３】本実施の形態に係るレンズ駆動装置を縦方向に切断した状態を斜視図である。
【図４】本実施の形態に係るレンズ駆動装置の分解斜視図である。
【符号の説明】
【００３４】
１              レンズ駆動装置
３              ヨーク
３ａ            （ヨークの）外周面
５              ベース
６              フレーム
７              レンズ支持体
１０            コイル
１３            マグネット
２１            ベース側の連結部
２１ａ          内周面
２３            ベース側の突起部
２５            フレーム側の連結部
２５ａ          内周面
２７            フレーム側の突起部
【図１】
2006234866.tif 000003
【図２】
2006234866.tif 000004
【図３】
2006234866.tif 000005
【図４】
2006234866.tif 000006